(57)【特許請求の範囲】
【請求項１】
下部側鋼管に上部側鋼管を接合するための建ち決め治具であって、
前記治具は、下部側鋼管の上部周縁及び上部側鋼管の下部周縁の対向位置にそれぞれ溶接によって固定された位置決めプレートと、２つの側部及び座板が一体化してなり、一側部が各位置決めプレートの一側面に突き当てられて各位置決めプレートにボルトを介して着脱可能に結合される箱形ピースと、両箱形ピースの前記座板を貫通して挿通される連結用ボルトと、ボルトにねじ込まれる複数の建ち決め及び連結用ナットとを備えたことを特徴とする鋼管の建ち決め治具。
【請求項２】
前記位置決めプレートに結合される前記箱型ピースの一側部の、前記座板とは反対側の縁部には、前記位置決めプレートの縁部に係合する折曲げ部が設けられていることを特徴とする請求項１記載の鋼管の建ち決め治具。
【発明の詳細な説明】
【０００１】
【発明の属する技術分野】
本発明は、鋼管の建ち決め治具に関する。
【０００２】
【従来の技術】
橋梁下部構造物の橋脚は、比較的高さの低い橋脚の場合には、フーチング上に主筋や横筋を組立てした後、型枠を配設してコンクリートを打設する方法で構築していたが、高橋脚の場合には、強度上の点から多数の主筋、横筋及び隅角部のハンチ筋並びに組立鉄筋等が必要となるため、複雑な作業が多くなる。この対策として、本出願人による鋼管・コンクリートの複合構造が開発されている。
【０００３】
この方法は、例えば図３に示すように、フーチング１上に基準となる鋼管２を建て込み、次いで作業足場３の組立てを行った後、基準鋼管２の上部に大型クローラクレーン４により、上部側の鋼管２を吊り込んで下部側鋼管２上に建ち決めし、次いで溶接により接合部分を継ぎ足す作業を、最上部まで繰り返し行うものである。
【０００４】
継ぎ足しの際には、図４に示すように、下部側鋼管２の上部及び継ぎ足し側鋼管２の下部外周に、それぞれブラケット状の建ち決め治具５を予め溶接しておき、両治具５を対向させて両者の座面５ａに開口されたボルト孔を通じてボルト６を挿通し、ナット７を締結することで、鋼管１同士を建ち決め位置に仮固定し、その後、接合部の溶接を行っていた。
【０００５】
【発明が解決しようとする課題】
しかしながら、以上の方法では、次に述べる技術的な課題があった。
１）先ず、鋼管１同士の溶接時に治具５の位置が溶接の邪魔となるため、継手部分における溶接に時間がかかっていた。
２）施主によっては治具を撤去することを要求される場合があり、この場合には治具を除く周囲を溶接後、治具を溶断しなくてはならないため、撤去に手間がかかり、作業効率が低下していた。
３）さらには、溶断後の治具は転用が利かないため、継手個数分だけ作る必要が生じ、治具そのものの加工、取付け、撤去ともに費用と手間がかかるものとなっていた。
【０００６】
本発明は、以上の課題を解決するものであり、その目的は、鋼管の建ち決め後、簡単に撤去でき、しかも繰り返し転用可能な鋼管の建ち決め治具を提供するものである。
【０００７】
【課題を解決するための手段】
前記目的を達成するため、本発明の治具は、下部側鋼管の上部周縁及び上部側鋼管の下部周縁の対向位置にそれぞれ溶接によって固定された位置決めプレートと、２つの側部及び座板が一体化してなり、一側部が各位置決めプレートの一側面に突き当てられて各位置決めプレートにボルトを介して着脱可能に結合される箱形ピースと、両箱形ピースの前記座板を貫通して挿通される連結用ボルトと、ボルトにねじ込まれる複数の建ち決め及び連結用ナットとを備えたことを特徴とする。
【０００８】
以上の構成によれば、連結用ボルトナットの結合により建ち決めした後、建ち決め箇所を除く周囲を溶接し、その後、ボルト・ナットを外して箱形ピースを除くことで建ち決め箇所を溶接できる。撤去した箱形ピースは次の鋼管の建ち決め治具に転用できる。
【０００９】
【発明の実施の形態】
以下、本発明の好ましい実施の形態につき、添付図面を参照して詳細に説明する。図１，２は、本発明にかかる建ち決め治具を示すものである。このものは、例えば、下部側鋼管２の上部外周４カ所、並びに、下部側鋼管２の下部４カ所に対向してそれぞれ溶接された位置決めプレート１０と、各位置決めプレート１０の一側面にボルト１２・ナット１４を介して着脱可能に接合した上下の箱形ピース１６と、両箱形ピース１６を貫通して両者間に挿通される連結用のボルト１８と、ボルト１８にねじ込まれる複数の建ち決め及び連結用ナット２０とを備えている。
【００１０】
前記位置決めプレート１０は、一側縁周囲を鋼管２の上縁または下縁外周に溶接したもので、その側面には取付用のボルト貫通孔１０ａが開口されている。
【００１１】
箱形ピース１６は、鋼板をＬ字形に屈曲させ、その一側部を前記プレート１０の一側面に突き当て、他側部背面を鋼管２の外周に突き当てるようにしたアングル材２２と、アングル材２２の底部（上部）に一体に溶接された座板２４とからなり、アングル材２２の一側部にボルト挿通用長孔２２ａを開口し、座板２４の中央に連結用ボルト孔２４ａ（下部側）または連結用長孔２４ｂ（上部側）を開口形成している。
【００１２】
また、アングル材２２の一側部上縁（または下縁）にはＬ形の折曲げ部２２ｂが形成されている。この折曲げ部２２ｂは、建ち決めプレート１０に対する取付時にその上縁（または下縁）に係合し、これによって箱形ピース１４，１６の位置決めと、ボルト１２・ナット１４の締結作業に伴う共回りも防止できるようになっている。
【００１３】
なお、下部側鋼管２の接合部内側には、裏当てリング（図示しない）が設置されている。
【００１４】
次に以上の構成における建ち決め作業手順を説明する。
１）下部側の箱型ピース１６にボルト１８をセットする。
２）箱形ピース１６の突出端において、建ち決め用ナット２０をボルト１８にねじ込み、レベルを抑え、またもう一つの建ち決め用ナット２０もボルト１８にねじ込んでおく。
３）上部側鋼管２を下部側鋼管２にのせ、ボルト１８の先端を上部側箱形プレート１６の座板２４上に突出させる。
４）上部側の建ち決め用ナット２０の回転調整により建ちを決める。
５）次いで、固定用ナット２０を締め込んで建ちを固定する。
６）溶接に障害になるボルト近傍以外の接合部の溶接を行い、完了後各ボルト１２，１８、ナット１４，２０を取り外し、箱形ピース１６を撤去後、残りの部分の溶接を行う。
【００１５】
取り外された箱形ピース１６及び各ボルト・ナット類は次の建ち決め作業に繰り返し転用できる。
【００１６】
【発明の効果】
以上の説明により明らかなように、本発明による鋼管の建ち決め治具にあっては、鋼管の建ち決め後、ボルトの取り外し作業により簡単に撤去できるため、溶接の邪魔にならず、また撤去した箱形ピース、ボルト・ナットとも繰り返し転用できるため、効率の良い作業を行えると同時に、資材の有効利用を図ることができる。
【図面の簡単な説明】
【図１】本発明に係る建ち決め治具の正面図及び平面図である。
【図２】同分解斜視図である。
【図３】高橋脚における鋼管の接合作業を示す全体説明図である。
【図４】従来の建ち決め治具の側断面図である。
【符号の説明】
２  鋼管
１０  位置決めプレート
１２，１４  ボルト・ナット
１６  箱形ピース
１８  連結用ボルト
２０  建ち決め及び連結用ナット
２４  座板
【図１】
0003750506.tif 000002
【図２】
0003750506.tif 000003
【図３】
0003750506.tif 000004
【図４】
0003750506.tif 000005